(57)【要約】【課題】必要に応じて構造を変えることによりベースの占有面積を減らすことができる表示装置のベースを提供する。【解決手段】表示装置２０のベース１０は、ベースボディ１００、第１の翼部１２０及び第２の翼部１３０を備える。ベースボディ１００は、柱体１１０と、載置面３０に当接されるベースボディ底面１００ａと、ベースボディ底面１００ａに隣接した第１のベースボディ側面１００ｂ及び第２のベースボディ側面１００ｃとを有する。柱体１１０は、頂端に接続された表示装置２０を支持し、第１のベースボディ側面１００ｂには、第１の接続部１０１が設けられる。第１の翼部１２０は、第１の翼部底面１２０ｂ及び第１の翼部側面１２０ｃを有する。第１の翼部側面１２０ｃには、第１の接続部１０１に対応した第２の接続部１２１が設けられる。【選択図】図１
2013195525.tif 000002
【特許請求の範囲】
【請求項１】
載置面に載置して表示装置を支持し、ベースボディ、第１の翼部及び第２の翼部を備えた表示装置のベースであって、
前記ベースボディは、柱体と、前記載置面に当接されるベースボディ底面と、前記ベースボディ底面に隣接した第１のベースボディ側面及び第２のベースボディ側面と、を有し、前記柱体は、頂端に接続された表示装置を支持し、前記第１のベースボディ側面には、第１の接続部が設けられ、
前記第１の翼部は、第１の翼部底面及び第１の翼部側面を有し、前記第１の翼部側面には、前記第１の接続部に対応した第２の接続部が設けられ、前記第１の接続部が前記第２の接続部に枢着されているため、前記第１の翼部が前記ベースボディに対して第１の位置と第２の位置との間で揺動自在であり、前記第１の翼部が揺動して前記第１の位置まで変位すると、前記第１の翼部底面が前記載置面に対して略垂直となり、前記第１の翼部が揺動して前記第２の位置まで変位すると、前記第１の翼部底面及び前記ベースボディ底面が前記載置面に同時に当接されるか、前記第１の接続部が前記第２の接続部に着脱自在に接続されているため、前記第１の翼部が前記ベースボディに対して第１の態様及び第２の態様を有し、前記第１の態様では、前記第１の翼部に前記ベースボディが接続されて一体化し、前記第１の翼部底面及び前記ベースボディ底面が前記載置面に同時に当接され、前記第２の態様では、前記第１の翼部が前記ベースボディから分離され、
前記第２の翼部は、前記第２のベースボディ側面に接続されることを特徴とする表示装置のベース。
【請求項２】
前記第２のベースボディ側面には、第３の接続部が設けられ、
前記第２の翼部は、第２の翼部底面及び第２の翼部側面を有し、前記第２の翼部側面は、前記第３の接続部に対応した第４の接続部を有し、前記第３の接続部は、前記第４の接続部に枢着されているため、前記第２の翼部が前記ベースボディに対して第３の位置と第４の位置との間で揺動自在となり、前記第２の翼部が揺動して前記第３の位置まで変位すると、前記第２の翼部底面が前記載置面に対して略垂直となり、前記第２の翼部が揺動して前記第４の位置まで変位すると、前記第２の翼部底面及び前記ベースボディ底面が前記載置面に同時に当接されるか、前記第３の接続部が前記第４の接続部に着脱自在に接続されているため、前記第２の翼部が前記ベースボディに対して第３の態様及び第４の態様を有し、前記第３の態様では、前記第２の翼部に前記ベースボディが接続されて一体化し、前記第２の翼部底面及び前記ベースボディ底面が前記載置面に同時に当接され、前記第４の態様では、前記第２の翼部が前記ベースボディから分離されることを特徴とする請求項１に記載の表示装置のベース。
【請求項３】
載置面に載置して表示装置を支持し、ベースボディモジュール、第１の翼部及び第２の翼部を備えた表示装置のベースであって、
前記ベースボディモジュールは、第１のベースボディ、第２のベースボディ、第３のベースボディ、第４のベースボディ及び柱体を有し、前記第１のベースボディ、前記第２のベースボディ、前記第３のベースボディ及び前記第４のベースボディのそれぞれは、前記柱体に枢着されるとともに前記載置面に当接されるベースボディ底面を有し、前記柱体は、頂端に接続された前記表示装置を支持し、
前記第１の翼部は、第１の翼部底面及び第１の翼部側面を有し、前記第１のベースボディ及び前記第２のベースボディの側面のそれぞれには、第１の接続部が設けられ、前記第１の翼部側面には、前記第１の接続部に対応した第２の接続部が設けられ、前記第１の接続部が着脱自在に前記第２の接続部に接続されているため、前記第１の翼部が前記ベースボディモジュールに対して第１の態様及び第２の態様を有し、前記第１の態様では、前記第１の翼部に前記第１のベースボディ及び前記第２のベースボディを接続させて一体化し、前記第１の翼部底面及び前記ベースボディ底面を前記載置面へ同時に当接させ、前記第２の態様では、前記第１の翼部を前記第１のベースボディ及び前記第２のベースボディから分離させ、
前記第２の翼部は、第２の翼部底面及び第２の翼部側面を有し、前記第３のベースボディ及び前記第４のベースボディの側面のそれぞれには、第３の接続部が設けられ、前記第２の翼部側面には、前記第３の接続部に対応した第４の接続部が設けられ、前記第３の接続部が前記第４の接続部に着脱自在に接続されているため、前記第２の翼部が前記ベースボディモジュールに対して第３の態様及び第４の態様を有し、前記第３の態様では、前記第２の翼部に前記第３のベースボディ及び前記第４のベースボディが接続されて一体化し、前記第２の翼部底面及び前記ベースボディ底面が前記載置面に同時に当接され、前記第４の態様では、前記第２の翼部が前記第３のベースボディ及び前記第４のベースボディから分離されることを特徴とする表示装置のベース。
【発明の詳細な説明】
【技術分野】
【０００１】
本発明は、ベースに関し、特に、表示装置のベースに関する。
【背景技術】
【０００２】
従来の陰極線管表示装置は、体積が大きいため占有空間も大きく、特に陰極線管表示装置のサイズが大型である場合、その載置面積は大きい。現在、プラズマ、液晶などの薄型表示装置が広く普及し、５０インチ以上の薄型表示装置であっても、１５インチの陰極線管装置より厚さが薄いため、理論上、占有空間が大きいという従来の陰極線管表示装置の問題点を薄型表示装置は解決することができたが、実際には薄型表示装置のサイズが大きくなるに従い、安定性に対する要求も高くなるため、薄型表示装置を支持するために用いるベースも大きな載置面積が必要となる。そのため、薄型表示装置が前方又は後方へ傾くことを防ぐことができるように、薄型表示装置の前方及び後方でも高い支持力を得る必要がある。しかし従来の薄型表示装置は、厚さが薄い場合でも、依然としてベースの占有空間が大きいため、状況に応じて構造を変え、占有面積を小さくすることができる表示装置のベースが求められていた。
【発明の概要】
【発明が解決しようとする課題】
【０００３】
本発明の目的は、必要に応じて構造を変えることによりベースの占有面積を減らすことができる表示装置のベースを提供することにある。
【課題を解決するための手段】
【０００４】
上記課題を解決するために、本発明の第１の形態によれば、載置面に載置して表示装置を支持し、ベースボディ、第１の翼部及び第２の翼部を備えた表示装置のベースであって、前記ベースボディは、柱体と、前記載置面に当接されるベースボディ底面と、前記ベースボディ底面に隣接した第１のベースボディ側面及び第２のベースボディ側面と、を有し、前記柱体は、頂端に接続された表示装置を支持し、前記第１のベースボディ側面には、第１の接続部が設けられ、前記第１の翼部は、第１の翼部底面及び第１の翼部側面を有し、前記第１の翼部側面には、前記第１の接続部に対応した第２の接続部が設けられ、前記第１の接続部が前記第２の接続部に枢着されているため、前記第１の翼部が前記ベースボディに対して第１の位置と第２の位置との間で揺動自在であり、前記第１の翼部が揺動して前記第１の位置まで変位すると、前記第１の翼部底面が前記載置面に対して略垂直となり、前記第１の翼部が揺動して前記第２の位置まで変位すると、前記第１の翼部底面及び前記ベースボディ底面が前記載置面に同時に当接されるか、前記第１の接続部が前記第２の接続部に着脱自在に接続されているため、前記第１の翼部が前記ベースボディに対して第１の態様及び第２の態様を有し、前記第１の態様では、前記第１の翼部に前記ベースボディが接続されて一体化し、前記第１の翼部底面及び前記ベースボディ底面が前記載置面に同時に当接され、前記第２の態様では、前記第１の翼部が前記ベースボディから分離され、前記第２の翼部は、前記第２のベースボディ側面に接続されることを特徴とする表示装置のベースが提供される。
【０００５】
また、前記第２のベースボディ側面には、第３の接続部が設けられ、前記第２の翼部は、第２の翼部底面及び第２の翼部側面を有し、前記第２の翼部側面は、前記第３の接続部に対応した第４の接続部を有し、前記第３の接続部は、前記第４の接続部に枢着されているため、前記第２の翼部が前記ベースボディに対して第３の位置と第４の位置との間で揺動自在となり、前記第２の翼部が揺動して前記第３の位置まで変位すると、前記第２の翼部底面が前記載置面に対して略垂直となり、前記第２の翼部が揺動して前記第４の位置まで変位すると、前記第２の翼部底面及び前記ベースボディ底面が前記載置面に同時に当接されるか、前記第３の接続部が前記第４の接続部に着脱自在に接続されているため、前記第２の翼部が前記ベースボディに対して第３の態様及び第４の態様を有し、前記第３の態様では、前記第２の翼部に前記ベースボディが接続されて一体化し、前記第２の翼部底面及び前記ベースボディ底面が前記載置面に同時に当接され、前記第４の態様では、前記第２の翼部が前記ベースボディから分離されることが好ましい。
【０００６】
上記課題を解決するために、本発明の第２の形態によれば、載置面に載置して表示装置を支持し、ベースボディモジュール、第１の翼部及び第２の翼部を備えた表示装置のベースであって、前記ベースボディモジュールは、第１のベースボディ、第２のベースボディ、第３のベースボディ、第４のベースボディ及び柱体を有し、前記第１のベースボディ、前記第２のベースボディ、前記第３のベースボディ及び前記第４のベースボディのそれぞれは、前記柱体に枢着されるとともに前記載置面に当接されるベースボディ底面を有し、前記柱体は、頂端に接続された前記表示装置を支持し、前記第１の翼部は、第１の翼部底面及び第１の翼部側面を有し、前記第１のベースボディ及び前記第２のベースボディの側面のそれぞれには、第１の接続部が設けられ、前記第１の翼部側面には、前記第１の接続部に対応した第２の接続部が設けられ、前記第１の接続部が着脱自在に前記第２の接続部に接続されているため、前記第１の翼部が前記ベースボディモジュールに対して第１の態様及び第２の態様を有し、前記第１の態様では、前記第１の翼部に前記第１のベースボディ及び前記第２のベースボディを接続させて一体化し、前記第１の翼部底面及び前記ベースボディ底面を前記載置面へ同時に当接させ、前記第２の態様では、前記第１の翼部を前記第１のベースボディ及び前記第２のベースボディから分離させ、前記第２の翼部は、第２の翼部底面及び第２の翼部側面を有し、前記第３のベースボディ及び前記第４のベースボディの側面のそれぞれには、第３の接続部が設けられ、前記第２の翼部側面には、前記第３の接続部に対応した第４の接続部が設けられ、前記第３の接続部が前記第４の接続部に着脱自在に接続されているため、前記第２の翼部が前記ベースボディモジュールに対して第３の態様及び第４の態様を有し、前記第３の態様では、前記第２の翼部に前記第３のベースボディ及び前記第４のベースボディが接続されて一体化し、前記第２の翼部底面及び前記ベースボディ底面が前記載置面に同時に当接され、前記第４の態様では、前記第２の翼部が前記第３のベースボディ及び前記第４のベースボディから分離されることを特徴とする表示装置のベースが提供される。
【発明の効果】
【０００７】
本発明の表示装置のベースは、必要に応じて構造を変えることによりベースの占有面積を減らすことができるとともに、表示装置の安定性を維持することもできる。
【図面の簡単な説明】
【０００８】
【図１】本発明の第１実施形態に係る表示装置のベースを使用するときの状態を示す斜視図である。
【図２】本発明の第１実施形態に係る表示装置のベースを示す斜視図である。
【図３】本発明の第２実施形態に係る表示装置のベースを使用するときの状態を示す斜視図である。
【図４】本発明の第２実施形態に係る表示装置のベースを示す斜視図である。
【図５ａ】本発明の第２実施形態に係る表示装置のベースを分解するときの状態を示す模式図である。
【図５ｂ】本発明の第２実施形態に係る表示装置のベースを分解するときの状態を示す模式図である。
【図５ｃ】本発明の第２実施形態に係る表示装置のベースを分解するときの状態を示す模式図である。
【図５ｄ】本発明の第２実施形態に係る表示装置のベースを分解するときの状態を示す模式図である。
【図６】本発明の第３実施形態に係る表示装置のベースを示す斜視図である。
【図７ａ】本発明の第３実施形態に係る表示装置のベースを分解するときの状態を示す模式図である。
【図７ｂ】本発明の第３実施形態に係る表示装置のベースを分解するときの状態を示す模式図である。
【図８】本発明の第４実施形態に係る表示装置のベースを使用するときの状態を示す斜視図である。
【図９ａ】本発明の第５実施形態に係る表示装置のベースを分解するときの状態を示す模式図である。
【図９ｂ】本発明の第５実施形態に係る表示装置のベースを分解するときの状態を示す模式図である。
【発明を実施するための形態】
【０００９】
以下、本発明の実施形態について図に基づいて説明する。なお、これによって本発明が限定されるものではない。
【実施例１】
【００１０】
（第１実施形態）
図１及び図２を参照する。図１及び図２に示すように、本発明の第１実施形態に係る表示装置のベース１０は、少なくともベースボディ１００、第１の翼部１２０及び第２の翼部１３０から構成される。ベースボディ１００は、柱体１１０、ベースボディ底面１００ａ、第１のベースボディ側面１００ｂ及び第２のベースボディ側面１００ｃを有する。柱体１１０は、頂端に接続された表示装置２０を支持するために用いる。第１のベースボディ側面１００ｂには、第１の接続部１０１が設けられている。第２のベースボディ側面１００ｃには、第３の接続部１０２が設けられている。
【００１１】
第１の翼部１２０は、第１の翼部底面１２０ｂ及び第１の翼部側面１２０ｃを有する。第１の翼部側面１２０ｃには、第２の接続部１２１が設けられている。第１の接続部１０１が第２の接続部１２１に枢着されているため、第１の翼部１２０は、ベースボディ１００に対して第１の位置と第２の位置との間で揺動自在である。第１の翼部１２０が揺動して第１の位置まで変位すると、第１の翼部底面１２０ｂが載置面３０に対して略垂直となり、壁面３１に第１の翼部１２０を接触させることができる（図１参照）。第１の翼部１２０には貫通孔１０３が設けられている。表示装置２０の安定性を高めるために、貫通孔１０３に係合部材４０を貫設させて壁面３１に第１の翼部１２０を固着させてもよい。前述の「略垂直」とは、両者間の夾角が実際の環境の影響を受けたり製造するときに発生する誤差などにより９０度とならないことがある（例えば、壁面が載置面に対して垂直でない）ことを意味する。
【００１２】
図２を参照する。図２に示すように、第１の翼部１２０が揺動して第２の位置まで変位すると、第１の翼部底面１２０ｂ及びベースボディ底面１００ａが載置面３０に同時に当接される。この態様は、表示装置２０が壁面に近くないときに適用したり、係合部材４０を貫通孔１０３に貫設させて第１の翼部１２０を載置面３０に固着させたりすることができる。
【００１３】
第２の翼部１３０は、第１の翼部１２０と形状及びサイズが等しく、第２の翼部底面１３０ｂ及び第２の翼部側面１３０ｃを有する。第２の翼部側面１３０ｃには、第４の接続部１３１が設けられ、第３の接続部１０２が枢着されているため、第２の翼部１３０は、ベースボディ１００に対して第３の位置と第４の位置との間で揺動自在である。第２の翼部１３０が揺動して第３の位置まで変位し、第２の翼部底面１３０ｂを載置面３０に対して略垂直な位置まで変位させることにより、表示装置２０の前方をテレビ台に固定したり、壁面に設けられた物品に固定したりすることができる。第２の翼部１３０を第４の位置まで揺動させると、第２の翼部底面１３０ｂ及びベースボディ底面１００ａとを載置面３０へ同時に当接させることができる。勿論、他の実施形態では第２の翼部１３０をベースに固着させたりベースに一体成形させたりして揺動できないようにしてもよい。
【００１４】
第１実施形態では、第２の翼部１３０に貫通孔１０３が設けられていないが、他の実施形態では第２の翼部１３０に貫通孔１０３が設けられ、第２の翼部１３０が揺動して第３の位置まで変位し、係合部材を貫通孔１０３に貫設させて壁面に第２の翼部１３０を固着させたり、第２の翼部１３０を第４の位置まで変位させ、係合部材を貫通孔１０３に貫設させて第２の翼部１３０を載置面へ固着させたりしてもよい。また、ベースボディ底面１００ａ、第１の翼部底面１２０ｂ及び第２の翼部底面１３０ｂに、それぞれ滑り止めパッドを設けてもよい。
【実施例２】
【００１５】
（第２実施形態）
図３、図４及び図５ａ〜図５ｄを参照する。図３、図４及び図５ａ〜図５ｄに示すように、本発明の第２実施形態に係るベース５０は、少なくともベースボディモジュール５００、第１の翼部５２０及び第２の翼部５３０から構成される。ベースボディモジュール５００は、第１のベースボディ５４１、第２のベースボディ５４２、第３のベースボディ５４３、第４のベースボディ５４４及び柱体５１０を含む。第１のベースボディ５４１、第２のベースボディ５４２、第３のベースボディ５４３及び第４のベースボディ５４４のそれぞれは、柱体５１０に枢着されるとともに載置面３０に当接されるベースボディ底面５００ａを有する。柱体５１０は、頂端に接続された表示装置２０を支持するために用いる。第１のベースボディ５４１及び第２のベースボディ５４２の側面には、それぞれ第１の接続部５０１が設けられ、第３のベースボディ５４３及び第４のベースボディ５４４の側面には、第３の接続部５０２がそれぞれ設けられている。
【００１６】
第１の翼部５２０は、第１の翼部底面５２０ｂ及び第１の翼部側面５２０ｃを有する。第１の翼部側面５２０ｃには、第１の接続部５０１に着脱自在に接続された第２の接続部５２１が設けられている。第１の翼部５２０は、ベースボディモジュール５００に対して第１の態様及び第２の態様を有する。ここで「着脱自在に接続」とは、２つの構成要素を自在に接続させたり分離させたりすることができるという意味である。
【００１７】
図４及び図５ａを参照する。図４及び図５ａに示すように、第１の態様では、第１の翼部５２０に、第１のベースボディ５４１及び第２のベースボディ５４２を接続させて一体化し、第１の翼部底面５２０ｂ及びベースボディ底面５００ａを載置面３０へ同時に当接させる。第２の態様では、第１の翼部５２０を第１のベースボディ５４１及び第２のベースボディ５４２から分離させると、図３、図５ｂ、図５ｃ及び図５ｄに示すように、第１のベースボディ５４１及び第２のベースボディ５４２が、第１の位置と第２の位置との間で揺動自在となり、必要に応じて両者間の夾角を調整することができる。第１のベースボディ５４１及び第２のベースボディ５４２は、第２の位置にある場合、第１のベースボディ５４１と第２のベースボディ５４２とのなす角度は１８０°である（図５ｂ参照）。第１のベースボディ５４１と第２のベースボディ５４２とを揺動させて互いに向かって倒し（図５ｃ参照）、第１のベースボディ５４１及び第２のベースボディ５４２を第１の位置まで揺動させると、第１のベースボディ５４１及び第２のベースボディ５４２上にそれぞれ設けられた第１の接続部５０１を互いに係合させることができる（図５ｄ参照）。
【００１８】
第２の翼部５３０は、第２の翼部底面５３０ｂ及び第２の翼部側面５３０ｃを有する。第２の翼部側面５３０ｃには、第３の接続部５０２に着脱自在に接続された第４の接続部５３１が設けられ、第２の翼部５３０は、ベースボディモジュール５００に対して第３の態様及び第４の態様を有する。
【００１９】
第３の態様では、第２の翼部５３０が第３のベースボディ５４３及び第４のベースボディ５４４に接続されて一体化されているため、第１の翼部底面５２０ｂ及びベースボディ底面５００ａが載置面３０に同時に当接される（図４及び図５ａ参照）。第４の態様では、第２の翼部５３０を、第３のベースボディ５４３及び第４のベースボディ５４４から分離し（図３、図５ｂ、図５ｃ及び図５ｄ参照）、第３のベースボディ５４３及び第４のベースボディ５４４が第３の位置と第４の位置との間で揺動自在となるため、必要に応じて両者の夾角を調整することができる。例えば、第４の位置にある場合、第３のベースボディ５４３と第４のベースボディ５４４とのなす角度が１８０°となり（図５ｂ参照）、第３のベースボディ５４３と第４のベースボディ５４４とを揺動させて互いに近づけ（図５ｃ参照）、第３のベースボディ５４３及び第４のベースボディ５４４を揺動させて第３の位置まで変位させると、第３のベースボディ５４３及び第４のベースボディ５４４上に設けられた第３の接続部５０２を互いに係合させることができる（図５ｄ参照）。
【００２０】
第１のベースボディ５４１及び第２のベースボディ５４２が第２の位置にあり、第３のベースボディ５４３及び第４のベースボディ５４４が第４の位置にある場合、第１のベースボディ５４１は第３のベースボディ５４３に隣接し、第２のベースボディ５４２は第４のベースボディ５４４に隣接する。
【実施例３】
【００２１】
（第３実施形態）
図６、図７ａ及び図７ｂを参照する。図６、図７ａ及び図７ｂに示すように、本発明の第３実施形態に係るベース６０は、少なくともベースボディ６００と、第１の翼部６２０と、第２の翼部６３０と、表示装置を支持する柱体６１０と、から構成される。第１のベースボディ側面６００ｂの第１の接続部６０１は、第１の翼部側面６２０ｃに設けられた第２の接続部６２１と着脱自在に接続され、第１の翼部６２０は、ベースボディ６００に対して第１の態様及び第２の態様を有する。第１の態様では、第１の翼部６２０とベースボディ６００とが接続されて一体化され、第１の翼部底面６２０ｂとベースボディ底面６００ａとが載置面に同時に当接される（図６及び図７ａ参照）。第２の態様では、第１の翼部６２０とベースボディ６００とが分離された状態である（図７ｂ参照）。
【００２２】
第２のベースボディ側面６００ｃの第３の接続部６０２は、第２の翼部側面６３０ｃの第４の接続部６３１に着脱自在に接続され、第２の翼部６３０は、ベースボディ６００に対して第３の態様及び第４の態様を有する。第３の態様では、第２の翼部６３０とベースボディ６００とが接続されて一体化され、第２の翼部底面６３０ｂ及びベースボディ底面６００ａが載置面に同時に当接される。第４の態様では、第２の翼部６３０とベースボディ６００とが分離された状態である。
【００２３】
第３実施形態の第１の翼部６２０には、貫通孔６０３が設けられているが、勿論、他の実施形態では第２の翼部６３０にも貫通孔６０３が設けられていたり、第１の翼部６２０及び第２の翼部６３０ともに貫通孔６０３が設けられていない状態にしてもよい。第３実施形態の第１の翼部６２０及び第２の翼部６３０のそれぞれはベースボディ６００と着脱自在に接続されているが、勿論、他の実施形態では第１の翼部６２０をベースボディ６００に枢着したり、第２の翼部６３０をベースボディ６００に着脱自在に接続させたり、第１の翼部６２０をベースボディ６００と着脱自在に接続させたり、第２の翼部６３０をベースボディ６００に枢着させたりしてもよい。
【実施例４】
【００２４】
（第４実施形態）
図８を参照する。図８に示すように、本発明の第４実施形態に係るベース７０は、第１の翼部６２０及び第２の翼部６３０を含まずに、第１のベースボディ７４１、第２のベースボディ７４２及び柱体７１０のみから構成される。第１のベースボディ７４１及び第２のベースボディ７４２は、交差されて柱体７１０に枢着され、第１のベースボディ７４１と第２のベースボディ７４２とのなす角度は、柱体７１０を中心として調整することができる。
【実施例５】
【００２５】
（第５実施形態）
図９ａを参照する。図９ａに示すように、本発明の第５実施形態に係る表示装置のベースのベース８０は、第１の翼部８２０及び第２の翼部８３０を含むとともに、第３の翼部８４０及び第４の翼部８５０も含む。第１の翼部８２０の一方の側部に設けられた第２の接続部８２１は、ベースボディ８００の一方の側部に設けられた第１の接続部８０１と着脱自在に接続される。第２の翼部８３０の側部に設けられた第４の接続部８３１は、ベースボディ８００の他方の側部に設けられた第３の接続部８０２と着脱自在に接続される。第３の翼部８４０の第６の接続部８４１は、第１の翼部８２０の他方の側部に設けられた第５の接続部８２２と着脱自在に接続される。第４の翼部８５０の第８の接続部８５１は、第２の翼部８３０の他方の側部に設けられた第７の接続部８３２と着脱自在に接続される。即ち、第１の翼部８２０、第２の翼部８３０、第３の翼部８４０及び第４の翼部８５０は、実際の必要に応じて多段式に分離したり接続したりすることができる（図９ｂ参照）。他の実施形態では、ベース７０にさらに多くの翼部を設けてより細かく調整することができるようにしたり、着脱自在の接続部を、枢軸を中心に揺動する接続部で代替してもよい。
【００２６】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【産業上の利用可能性】
【００２７】
本発明は、様々な形状のスペースに表示装置を設置できるため、ユーザの利便性の向上の点で利用可能性が高い。
【符号の説明】
【００２８】
１０  ベース
２０  表示装置
３０  載置面
３１  壁面
４０  係合部材
５０  ベース
６０  ベース
７０  ベース
８０  ベース
１００  ベースボディ
１００ａ  ベースボディ底面
１００ｂ  第１のベースボディ側面
１００ｃ  第２のベースボディ側面
１０１  第１の接続部
１０２  第３の接続部
１０３  貫通孔
１１０  柱体
１２０  第１の翼部
１２０ｂ  第１の翼部底面
１２０ｃ  第１の翼部側面
１２１  第２の接続部
１３０  第２の翼部
１３０ｂ  第２の翼部底面
１３０ｃ  第２の翼部側面
１３１  第４の接続部
５００  ベースボディモジュール
５００ａ  ベースボディ底面
５０１  第１の接続部
５０２  第３の接続部
５１０  柱体
５２０  第１の翼部
５２０ｂ  第１の翼部底面
５２０ｃ  第１の翼部側面
５２１  第２の接続部
５３０  第２の翼部
５３０ｂ  第２の翼部底面
５３０ｃ  第２の翼部側面
５３１  第４の接続部
５４１  第１のベースボディ
５４２  第２のベースボディ
５４３  第３のベースボディ
５４４  第４のベースボディ
６００  ベースボディ
６００ａ  ベースボディ底面
６００ｂ  第１のベースボディ側面
６００ｃ  第２のベースボディ側面
６０１  第１の接続部
６０２  第３の接続部
６０３  貫通孔
６１０  柱体
６２０  第１の翼部
６２０ｂ  第１の翼部底面
６２０ｃ  第１の翼部側面
６２１  第２の接続部
６３０  第２の翼部
６３０ｂ  第２の翼部底面
６３０ｃ  第２の翼部側面
６３１  第４の接続部
７１０  柱体
７４１  第１のベースボディ
７４２  第２のベースボディ
８００  ベースボディ
８０１  第１の接続部
８０２  第３の接続部
８１０  柱体
８２０  第１の翼部
８２１  第２の接続部
８２２  第５の接続部
８３０  第２の翼部
８３１  第４の接続部
８３２  第７の接続部
８４０  第３の翼部
８４１  第６の接続部
８５０  第４の翼部
８５１  第８の接続部
【図１】
2013195525.tif 000003
【図２】
2013195525.tif 000004
【図３】
2013195525.tif 000005
【図４】
2013195525.tif 000006
【図５ａ】
2013195525.tif 000007
【図５ｂ】
2013195525.tif 000008
【図５ｃ】
2013195525.tif 000009
【図５ｄ】
2013195525.tif 000010
【図６】
2013195525.tif 000011
【図７ａ】
2013195525.tif 000012
【図７ｂ】
2013195525.tif 000013
【図８】
2013195525.tif 000014
【図９ａ】
2013195525.tif 000015
【図９ｂ】
2013195525.tif 000016